(57)【要約】  成形時における突出部の変形を抑えることができ、栓本体がキャップ部材から抜けにくいキャップ部材を提供する。  開口端を有する体液採取用容器の該開口端に取り付けられる栓体を構成するキャップ部材であって、天板部と、前記天板部の周縁から下方に延びる側面部と、前記側面部の内表面上にキャップ部材の径方向内側に突出した複数の突出部とを備える。
2019159878.tif 000002
【特許請求の範囲】
【請求項１】
開口端を有する体液採取用容器の該開口端に取り付けられる栓体を構成するキャップ部材であって、
天板部と、前記天板部の周縁から下方に延びる側面部と、前記側面部の内表面上にキャップ部材の径方向内側に突出した複数の突出部とを備える、キャップ部材。
【請求項２】
前記突出部の高さが、０．１ｍｍ以上０．７ｍｍ以下である、請求項１に記載のキャップ部材。
【請求項３】
前記突出部の最大幅が、０．５ｍｍ以上４ｍｍ以下である、請求項１又は２に記載のキャップ部材。
【請求項４】
隣接する前記突出部間の、キャップ部材の周方向距離が、１ｍｍ以上１０ｍｍ以下である、請求項１〜３のいずれか１項に記載のキャップ部材。
【請求項５】
前記突出部の個数が、３個以上８個以下である、請求項１〜４のいずれか１項に記載のキャップ部材。
【請求項６】
前記突出部の、キャップ部材の長さ方向に沿う断面の形状が、台形である、請求項１〜５のいずれか１項に記載のキャップ部材。
【請求項７】
栓本体と、
請求項１〜６のいずれか１項に記載のキャップ部材とを備え、
前記キャップ部材が前記栓本体の外表面を覆うように外装されている、栓体。
【請求項８】
前記栓本体の材料が、エラストマーである、請求項７に記載の栓体。
【請求項９】
血液採取容器であって、
開口端を有する体液採取用容器と、
請求項７又は８に記載の栓体とを備え、
前記栓体が、前記開口端に取り付けられている、血液採取容器。
【発明の詳細な説明】
【技術分野】
【０００１】
本発明は、開口端を有する体液採取用容器の該開口端を密閉するための栓体を構成するキャップ部材に関する。また、本発明は、上記キャップ部材を備える栓体、及び該栓体を備える血液採取容器に関する。
【背景技術】
【０００２】
血液などの体液を採取するために、栓体が取り付けられた体液採取用容器が広く用いられている。体液採取用容器に取り付けられる栓体は、一般的に、ゴム栓等の栓本体と、該栓本体に装着されるキャップ部材とを備える。【０００３】
このような体液採取用容器が用いられる例として、採血管等の血液採取容器が挙げられる。血液採取容器は、開口端を有する体液採取用容器と、該開口端に取り付けられた栓体とを備え、血液採取容器内部の滅菌性が保たれている。【０００４】
体液採取用容器に取り付けられる栓体の一例として、下記の特許文献１には、体液採集チューブの開放端を密閉する蓋組立体（栓体）が開示されている。この蓋組立体は、特定の構造を有するストッパと、天面と底面のストップ棚と環状スカートとを有する可撓性キャップ本体とを備える。上記可撓性キャップ本体の上記環状スカートの内壁には、テーパー（傾斜）の付いた表面を有する一体化された当接部が設けられている。なお、上記当接部は環状であり、環状当接部である。
【先行技術文献】
【特許文献】
【０００５】
【特許文献１】特開２００１−１４５６８５号公報
【発明の概要】
【発明が解決しようとする課題】
【０００６】
栓本体をキャップ部材から抜けにくくするために、キャップ部材の内周面に環状の突出部が設けられることがある。このようなキャップ部材は、一般的に、キャップ部材の形状に対応する金型内に樹脂組成物を注入し、成形することで製造される。【０００７】
金型から成形体を取り外しやすくするために、成形体の側面を僅かに膨らませることがある。特許文献１に記載のような、環状の突出部（環状当接部）が設けられた従来のキャップ部材では、成形体の側面が膨らみにくく、金型から成形体を取り出す際に、成形体の内表面が金型に引っ掛かる等して環状の突出部が変形することがある。成形時における突出部の変形は、歩留まりが低下する原因となる。また、突出部が変形すると、栓本体がキャップ部材から抜けることがある。【０００８】
本発明の目的は、成形時における突出部の変形を抑えることができ、栓本体がキャップ部材から抜けにくいキャップ部材を提供することである。また、本発明は、上記キャップ部材を備える栓体、及び該栓体を備える血液採取容器を提供することも目的とする。
【課題を解決するための手段】
【０００９】
本発明の広い局面によれば、開口端を有する体液採取用容器の該開口端に取り付けられる栓体を構成するキャップ部材であって、天板部と、前記天板部の周縁から下方に延びる側面部と、前記側面部の内表面上にキャップ部材の径方向内側に突出した複数の突出部とを備える、キャップ部材が提供される。【００１０】
本発明に係るキャップ部材のある特定の局面では、前記突出部の高さが、０．１ｍｍ以上０．７ｍｍ以下である。【００１１】
本発明に係るキャップ部材のある特定の局面では、前記突出部の最大幅が、０．５ｍｍ以上４ｍｍ以下である。【００１２】
本発明に係るキャップ部材のある特定の局面では、隣接する前記突出部間の、キャップ部材の周方向距離が、１ｍｍ以上１０ｍｍ以下である。【００１３】
本発明に係るキャップ部材のある特定の局面では、前記突出部の個数が、３個以上８個以下である。【００１４】
本発明に係るキャップ部材のある特定の局面では、前記突出部の、キャップ部材の長さ方向に沿う断面の形状が、台形である。【００１５】
本発明の広い局面によれば、栓本体と、上述したキャップ部材とを備え、前記キャップ部材が前記栓本体の外表面を覆うように外装されている、栓体が提供される。【００１６】
本発明に係る栓体のある特定の局面では、前記栓本体の材料が、エラストマーである。【００１７】
本発明の広い局面によれば、血液採取容器であって、開口端を有する体液採取用容器と、上述した栓体とを備え、前記栓体が、前記開口端に取り付けられている、血液採取容器が提供される。
【発明の効果】
【００１８】
本発明に係るキャップ部材は、開口端を有する体液採取用容器の該開口端に取り付けられる栓体を構成するキャップ部材である。本発明に係るキャップ部材は、天板部と、上記天板部の周縁から下方に延びる側面部と、上記側面部の内表面上にキャップ部材の径方向内側に突出した複数の突出部とを備える。本発明に係るキャップ部材では、上記の構成が備えられているので、成形時における突出部の変形を抑えることができ、栓本体がキャップ部材から抜けにくい。
【図面の簡単な説明】
【００１９】
【図１】図１（ａ）、図１（ｂ）、図１（ｃ）及び図１（ｄ）は、本発明の一実施形態に係るキャップ部材の平面図、正面図、底面図、及び正面断面図である。
【図２】図２（ａ）及び図２（ｂ）は、本発明の一実施形態に係るキャップ部材の要部を拡大して示す部分切除正面断面図である。
【図３】図３は、本発明の一実施形態に係る栓体の正面断面図である。
【図４】図４は、本発明の一実施形態に係る血液採取容器を示す正面図である。
【図５】図５は、本発明の一実施形態に係る血液採取容器の要部を拡大して示す部分切除正面断面図である。
【図６】図６（ａ）、図６（ｂ）及び図６（ｃ）は、本発明の一実施形態に係る血液採取容器を採血用ホルダーに挿入する工程を説明するための正面断面図である。
【発明を実施するための形態】
【００２０】
以下、図面を参照しつつ、本発明の具体的な実施形態を説明する。
【００２１】
［キャップ部材］
図１（ａ）、図１（ｂ）、図１（ｃ）及び図１（ｄ）は、本発明の一実施形態に係るキャップ部材の平面図、正面図、底面図、及び正面断面図である。図１（ａ）は、平面図である。図１（ｂ）は、正面図である。図１（ｃ）は、底面図である。図１（ｄ）は、正面断面図である。
【００２２】
キャップ部材１は、開口端を有する体液採取用容器の該開口端に取り付けられる栓体を構成するキャップ部材である。
【００２３】
キャップ部材１は、天板部１１と、天板部１１の周縁から下方に延びる側面部１２と、側面部１２の内表面１２ａ上にキャップ部材の径方向内側に突出した複数の突出部１３とを備える。
【００２４】
キャップ部材１では、上記の構成が備えられているので、成形時における突出部１３の変形を抑えることができ、栓本体がキャップ部材から抜けにくい。
【００２５】
従来のキャップ部材では、金型から成形体を取り出す際に、成形体の側面が膨らみにくいことがあり、その結果、成形体の側面の内表面が金型に引っ掛かる等して突出部が変形することがある。
【００２６】
このため、従来のキャップ部材では、栓本体に従来のキャップ部材を装着して栓体を製造した場合、栓本体がキャップ部材から落下等して抜けることがある。栓本体のキャップ部材からの抜けは、体液採取用容器から栓体を抜き取る場合等の栓本体をキャップ部材から取り外す方向の力が加わったとき、栓体の製造直後、及び栓体の輸送中等に起こりやすい。
【００２７】
キャップ部材１では、金型から成形体を取り出す際に、成形体の側面が膨らみやすく、金型から成形体を良好に取り出すことができる。したがって、突出部１３の変形を抑えることができる。
【００２８】
また、キャップ部材１では、突出部１３の変形を抑えることができるので、栓本体のキャップ部材１からの抜けを効果的に抑えることができる。キャップ部材１では、環状突出部を有する従来のキャップ部材と比べて、突出部と栓本体との接触面積が小さいにも関わらず、栓本体のキャップ部材１からの抜けを効果的に抑えることができる。キャップ部材１では、環状突出部を有する従来のキャップ部材と比べて、突出部と栓本体との接触面積が小さいにも関わらず、キャップ部材と栓本体との嵌合力が低下しない。
【００２９】
キャップ部材１では、栓体の製造直後、及び栓体の輸送中でも、栓本体がキャップ部材１から落下等して抜けにくい。キャップ部材１では、突出部１３が備えられているので、栓本体の下方への移動を効果的に抑制できる。
【００３０】
キャップ部材１では、体液採取用容器から栓体を抜き取る場合等の栓本体をキャップ部材１から取り外す方向の力が加わったりした場合でも、栓本体がキャップ部材１から抜けにくい。キャップ部材１では、栓本体をキャップ部材１から取り外す方向の力が加わったとしても、隣接する突出部１３とその間の側面部１２の内表面１２ａとで形成される凹部に栓本体が食い込み、栓本体がキャップ部材１から抜けにくい。
【００３１】
また、キャップ部材１では、金型から成形体を取り外しやすくするために、成形体の側面を僅かに膨らませたとしても、膨らんだ側面が元の形状に戻りやすい。したがって、金型の形状に対応したキャップ部材を良好に得ることができる。
【００３２】
また、キャップ部材１では、不良品の発生を抑えることができ、キャップ部材及び栓体の歩留まりを良好にできる。
【００３３】
突出部１３は、円弧状に設けられている。突出部１３は、環状突出部とは異なる。突出部１３は、環状突出部の一部が除去された形状である。
【００３４】
突出部１３は、キャップ部材１の周方向に、間隔をあけて設けられている。突出部１３は、キャップ部材１の周方向に、等間隔で設けられている。上記突出部は、キャップ部材の周方向に等間隔で設けられていなくてもよい。
【００３５】
キャップ部材１は、３個の突出部１３を備える。上記突出部の数は３個でなくてもよい。本発明のキャップ部材は、２個以上の突出部を備える。上記突出部の数は、好ましくは３個以上、好ましくは８個以下、より好ましくは５個以下である。上記突出部の数が上記下限以上及び上記上限以下であると、突出部の変形を効果的に抑えることができる。上記突出部の数が上記下限以上であると、栓本体のキャップ部材からの抜けを効果的に抑えることができる。
【００３６】
キャップ部材１では、３個の突出部の全てが、同一の形状及び同一の寸法である。複数の上記突出部の全てが、同一の形状及び同一の寸法でなくてもよい。
【００３７】
キャップ部材１では、３個の突出部の全てが、キャップ部材の同じ高さ位置に設けられている。上記突出部の全てが、キャップ部材の同じ高さ位置に設けられていてもよく、設けられていなくてもよい。上記突出部の変形を効果的に抑え、また、栓本体のキャップ部材からの抜けを効果的に抑える観点からは、上記突出部の全てが、キャップ部材の同じ高さ位置に設けられていることが好ましい。
【００３８】
後述する図２に示すように、突出部１３の、キャップ部材の長さ方向に沿う断面の形状は台形である。上記突出部のキャップ部材の長さ方向に沿う断面の形状は、台形でなくてもよい。上記突出部のキャップ部材の長さ方向に沿う断面の形状は、半円形であってもよく、半楕円形であってもよく、台形以外の多角形であってもよい。上記突出部のキャップ部材の長さ方向に沿う断面の形状が、台形である場合に、該台形は、等脚台形であってもよく、等脚台形以外の台形であってもよい。
【００３９】
上記突出部の変形を効果的に抑え、また、栓本体のキャップ部材からの抜けを効果的に抑える観点からは、上記突出部のキャップ部材の長さ方向に沿う断面の形状は、三角形又は四角形であることが好ましく、台形であることがより好ましい。
【００４０】
天板部１１の外形は環状である。天板部１１は、中央に円形の開口１１ａを有する。血液採取針等の針を栓体に刺しやすくする観点からは、天板部は開口を有することが好ましい。天板部が開口を有する場合、該開口の外形は、円形であってもよく、多角形であってもよい。
【００４１】
天板部の外形は、栓本体の形状に応じて、変更可能である。
【００４２】
側面部１２は、天板部１１の周縁から下方に伸びている。側面部１２の外形は円筒形である。側面部１２の上端に天板部１１が設けられている。側面部１２の下端がキャップ部材の下端に対応する。側面部の外形は、栓本体、又は体液採取用容器の形状に応じて、変更可能である。
【００４３】
キャップ部材１は、側面部１２の外表面１２ｂ上に、キャップ部材の径方向外側に突出した複数のリブ１４を備える。キャップ部材１は、１６個のリブ１４を備える。キャップ部材はリブを備えていてもよく、備えなくていなくてもよい。体液採取後に栓体を体液採取用容器から取り外し易くしたり、キャップ部材、栓体、及び体液採取用容器の転がりを防止したりする等、キャップ部材、栓体、及び体液採取用容器の取り扱い性を高める観点からは、キャップ部材はリブを備えることが好ましい。
【００４４】
キャップ部材１では、リブ１４は、キャップ部材１の上端に至っていない。リブは、キャップ部材の上端に至っていてもよい。キャップ部材１では、リブ１４は、キャップ部材の下端に至っていない。リブは、キャップ部材の下端に至っていてもよい。
【００４５】
側面部１２の外表面１２ｂは部分的に凹み１２ｃを有する。凹み１２ｃは、外表面１２ｂにおいて、リブ１４を備えない外表面の部分に比べて凹んでいる。外表面１２ｂは、１／４周毎に合計４個の凹み１２ｃを有する。側面部の外表面は、凹みを有していてもよく、有していなくてもよい。キャップ部材、栓体、及び体液採取用容器の転がりを防止する等、キャップ部材、栓体、及び体液採取用容器の取り扱い性を高める観点からは、キャップ部材は凹みを有することが好ましい。
【００４６】
凹み１２ｃは、キャップ部材１の上端に至っていない。上記凹みは、キャップ部材の上端に至っていてもよい。凹み１２ｃは、キャップ部材１の下端に至っていない。上記凹みは、キャップ部材の下端に至っていてもよい。
【００４７】
以下、本発明のキャップ部材の寸法等を説明する。
【００４８】
本発明のキャップ部材は、開口端を有する体液採取用容器の該開口端に取り付けられる栓体を構成するキャップ部材である。
【００４９】
上記体液採取用容器と上記栓体とを備える容器としては、例えば、採血管等の血液採取容器等が挙げられる。血液採取容器内に血液サンプルを採取する際には、上記血液採取容器と、血液採取針を備える採血用ホルダーとを用意し、血液採取容器の上記栓体側を採血用ホルダーに挿入する。そのため、栓体を構成するキャップ部材の寸法は、使用する体液採取用容器、栓本体、及び採血用ホルダー等の寸法に応じて適宜変更可能である。
【００５０】
上記採血管は、５ｃｃ用採血管、７ｃｃ用採血管、及び１０ｃｃ用採血管等、採取する血液の容量に応じて種類があり、それぞれ所定の長さ、内径及び外径等を有する。
【００５１】
採血管のサイズによらずにキャップ部材を使用できるようにする観点からは、キャップ部材の最大内径は、好ましくは１２ｍｍ以上、より好ましくは１３ｍｍ以上、好ましくは１８ｍｍ以下、より好ましくは１７ｍｍ以下である。
【００５２】
キャップ部材の取り扱い性を良好にする観点からは、キャップ部材の長さは、好ましくは１１ｍｍ以上、より好ましくは１５ｍｍ以上、好ましくは２５ｍｍ以下、より好ましくは２０ｍｍ以下である。
【００５３】
なお、上記キャップ部材の長さは、キャップ部材の上端から下端までの距離を示す。
【００５４】
キャップ部材の取り扱い性を良好にする観点からは、上記天板部の厚みは、好ましくは０．５ｍｍ以上、より好ましくは１ｍｍ以上、好ましくは３ｍｍ以下、より好ましくは２ｍｍ以下である。
【００５５】
金型から成形体を良好に取り出すために、成形体の側面を良好に膨らませたり、膨らんだ該側面を元の形状に良好に戻したりする観点からは、上記側面部の最大厚みは、好ましくは０．３ｍｍ以上、より好ましくは０．４ｍｍ以上、好ましくは２ｍｍ以下、より好ましくは１ｍｍ以下である。
【００５６】
上記側面部の厚みは、上記突出部よりも上方側と下方側とで同一であってもよく、異なっていてもよい。上記側面部の厚みが上記突出部よりも上方側と下方側とで異なっている場合、上記突出部よりも上方側の側面部の厚みが、上記突出部よりも下方側の側面部の厚みより大きくてもよく、上記突出部よりも上方側の側面部の厚みが、上記突出部よりも下方側の側面部の厚みより小さくてもよい。
【００５７】
キャップ部材がリブを備える場合、リブの長さは、好ましくは１０ｍｍ以上、より好ましくは１４ｍｍ以上である。上記リブの長さが上記下限以上であると、体液採取用容器の取り扱い性を良好にすることができる。
【００５８】
キャップ部材がリブを備える場合、リブの高さは、好ましくは０．１ｍｍ以上、より好ましくは０．３ｍｍ以上、好ましくは１ｍｍ以下、より好ましくは０．８ｍｍ以下である。上記リブの高さが上記下限以上及び上記上限以下であると、体液採取用容器の取り扱い性を良好にすることができる。
【００５９】
なお、上記リブの長さ方向は上記キャップ部材の長さ方向に対応し、上記リブの高さ方向は上記キャップ部材の径方向に対応する。
【００６０】
図２（ａ）及び図２（ｂ）は、本発明の一実施形態に係るキャップ部材の要部を拡大して示す部分切除正面断面図である。なお、図２（ａ）、図２（ｂ）では、図１に示すリブ１４及び凹み１２ｃは図示していない。また、図２（ａ）、図２（ｂ）では、図１に示す突出部１３の一部の形状（キャップ部材の長さ方向に沿う断面の形状）を図示している。
【００６１】
以下、図１及び図２を参照しつつ、突出部の形状及び寸法等をさらに説明する。
【００６２】
突出部１３は、側面部１２の内表面１２ａとは反対側の第１の面１３ａと、キャップ部材１の上端側の第２の面１３ｂと、キャップ部材１の下端側の第３の面１３ｃと、隣接する突出部側の第４の面１３ｄ及び第５の面１３ｅとを有する。第１の面１３ａは、円弧状の面である。第１の面１３ａは、曲面である。第１の面１３ａが突出部の先端に位置する。第２の面１３ｂは、側面部１２から離れるにつれて、第３の面１３ｃに近づく傾斜面である。第３の面１３ｃは、側面部１２から離れるにつれて、第２の面１３ｂに近づく傾斜面である。第２の面１３ｂの傾斜角度は、第３の面１３ｃの傾斜角度よりも大きい。上記傾斜角度は、側面部１２の内表面１２ａと、第２の面１３ｂ又は第３の面１３ｃとにより形成される角度のうち、小さい方の角度を意味する。第４の面１３ｄは、第５の面１３ｅとは反対側の面である。第４の面１３ｄ又は第５の面１３ｅと、内表面１２ａ、第１の面１３ａ、第２の面１３ｂ、及び第３の面１３ｃのそれぞれ面とのなす角は直角である。突出部をこのような形状とすることで、突出部の変形をより一層効果的に抑え、また、栓本体のキャップ部材からの抜けを効果的に抑えることができる。
【００６３】
突出部１３では、キャップ部材１の長さ方向に沿う断面の形状が台形である。突出部１３では、キャップ部材１の長さ方向に沿う断面において、第１の面１３ａで構成される辺と、第２の面１３ｂで構成される辺と、第３の面１３ｃで構成される辺と、第２の面１３ｂで構成される辺と第３の面１３ｃで構成される辺とを結ぶ辺とによって台形が形成されている。上記台形では、第２の面１３ｂで構成される辺の長さが、第３の面１３ｃで構成される辺の長さよりも短い。
【００６４】
上記突出部のキャップ部材の長さ方向に沿う断面の形状が台形である場合に、上記突出部の上記第２の面と上記第３の面とのうちの一方は傾斜面でなくてもよい。また、上記突出部の上記第２の面及び上記第３の面の双方が傾斜面である場合に、上記第３の面の傾斜角度が上記第２の面の傾斜角度より大きくてもよい。
【００６５】
上記突出部のキャップ部材の長さ方向に沿う断面の形状が台形である場合に、上記第４の面又は上記第５の面と、上記内表面、上記第１の面、上記第２の面、及び上記第３の面のそれぞれ面とのなす角は直角でなくてもよい。例えば、上記第４の面が、側面部から離れるにつれて、上記第５の面に近づく傾斜面であってもよく、上記第５の面から離れる傾斜面であってもよい。上記第５の面が、側面部から離れるにつれて、上記第４の面に近づく傾斜面であってもよく、上記第４の面から離れる傾斜面であってもよい。
【００６６】
上記第１の面、上記第２の面、上記第３の面、上記第４の面、上記第５の面はそれぞれ、平面であってもよく、曲面であってもよい。上記第２の面、上記第３の面、上記第４の面、上記第５の面はそれぞれ、側面部から離れるにつれて先細りする傾斜面（テーパー面）であってもよく、側面部から離れるにつれて先太りする傾斜面（逆テーパー面）であってもよい。
【００６７】
上記突出部の高さＨは、好ましくは０．１ｍｍ以上、好ましくは０．７ｍｍ以下、より好ましくは０．４ｍｍ以下である。上記高さＨが上記下限以上であると、栓本体のキャップ部材からの抜けをより一層効果的に抑えることができる。上記高さＨが上記上限以下であると、突出部の変形をより一層効果的に抑えることができる。
【００６８】
なお、上記高さＨは、側面部の内表面から、突出部の先端までの距離を示す。上記側面部の厚みが上記突出部よりも上方側と下方側とで異なっている場合、上記高さＨは、突出部よりも上方側の側面部の内表面から、突出部の先端までの距離を示す。
【００６９】
上記突出部の最大幅Ｗ１は、好ましくは０．５ｍｍ以上、より好ましくは１ｍｍ以上、好ましくは４ｍｍ以下、より好ましくは３ｍｍ以下である。上記最大幅Ｗ１が上記下限以上及び上記上限以下であると、突出部の変形をより一層効果的に抑えることができる。
【００７０】
上記突出部の最大幅方向は、上記突出部の高さ方向と直交する方向に対応することが好ましい。上記突出部の最大幅方向は、キャップ部材の長さ方向に対応することが好ましい。
【００７１】
上記天板部と上記突出部との距離Ｌは、好ましくは３ｍｍ以上、より好ましくは４ｍｍ以上、好ましくは７ｍｍ以下、より好ましくは６ｍｍ以下である。上記距離Ｌが上記下限以上及び上記上限以下であると、突出部の変形をより一層効果的に抑え、また、栓本体のキャップ部材からの抜けをより一層効果的に抑えることができる。
【００７２】
なお、上記距離Ｌは、天板部の内表面から、突出部の最大幅の１／２の位置までの距離を示す。
【００７３】
上記天板部と上記突出部との距離Ｌのキャップ部材の長さに対する比（距離Ｌ／キャップ部材の長さ）は、好ましくは１／５以上、より好ましくは１／４以上、好ましくは１／２以下、より好ましくは１／３以下である。上記比が上記下限以上及び上記上限以下であると、突出部の変形をより一層効果的に抑え、また、栓本体のキャップ部材からの抜けをより一層効果的に抑えることができる。
【００７４】
隣接する上記突出部間の、キャップ部材の周方向距離Ｘは、好ましくは１ｍｍ以上、より好ましくは３ｍｍ以上、好ましくは１０ｍｍ以下、より好ましくは８ｍｍ以下である。上記周方向距離Ｘが上記下限以上であると、突出部の変形を効果的に抑えることができる。上記周方向距離Ｘが上記上限以下であると、栓本体のキャップ部材からの抜けを効果的に抑えることができる。
【００７５】
なお、上記周方向距離Ｘは、隣接する上記突出部間のキャップ部材の側面部の内表面上の距離（長さ）を示す。
【００７６】
突出部のキャップ部材の周方向寸法Ｙは、突出部の数、及びキャップ部材の内径等により適宜変更できる。
【００７７】
なお、上記周方向寸法Ｙは、突出部のキャップ部材の側面部の内表面上の寸法を示す。
【００７８】
複数の上記突出部が設けられているキャップ部材の高さ位置において、上記突出部のキャップ部材の周方向寸法Ｙの合計の、キャップ部材の周方向寸法に対する比（突出部のキャップ部材の周方向寸法Ｙの合計／キャップ部材の周方向寸法）は、好ましくは１／２以上、より好ましくは３／５以上、好ましくは９／１０以下、より好ましくは４／５以下である。上記比が上記下限以上であると、突出部の変形を効果的に抑えることができる。上記比が上記上限以下であると、栓本体のキャップ部材からの抜けを効果的に抑えることができる。
【００７９】
なお、上記比（突出部のキャップ部材の周方向寸法Ｙの合計／キャップ部材の周方向寸法）は、キャップ部材の同一高さ位置に、同一形状の突出部を等間隔に３個備えるキャップ部材１においては、３Ｙ／３（Ｘ＋Ｙ）を示す。
【００８０】
上記突出部のキャップ部材の長さ方向に沿う断面の形状が台形である場合に、上記突出部のキャップ部材の側面部の内表面とは反対側の面（第１の面１３ａ）の幅Ｗ２は、好ましくは０．１ｍｍ以上、より好ましくは０．５ｍｍ以上、好ましくは３ｍｍ以下、より好ましくは２ｍｍ以下である。上記幅Ｗ２が上記下限以上及び上記上限以下であると、突出部の変形を効果的に抑えることができ、また、栓本体のキャップ部材からの抜けを効果的に抑えることができる。
【００８１】
上記突出部のキャップ部材の長さ方向に沿う断面の形状が台形である場合における、上記突出部のキャップ部材の上端側の面（第２の面１３ｂ）の幅Ｗ３は特に限定されない。
【００８２】
上記突出部のキャップ部材の長さ方向に沿う断面の形状が台形である場合における、上記突出部のキャップ部材の下端側の面（第３の面１３ｃ）の幅Ｗ４は特に限定されない。
【００８３】
以下、キャップ部材のその他の詳細を説明する。
【００８４】
成形性を良好にするために、キャップ部材の材料は、樹脂であることが好ましい。上記樹脂は１種のみが用いられてもよく、２種以上が用いられてもよい。
【００８５】
上記樹脂としては、ポリエチレン、ポリプロピレン、ポリエステル、及びポリカーボネート等が挙げられる。
【００８６】
上記キャップ部材を構成する上記天板部、上記側面部、上記突出部、及び上記リブは、それぞれ、同一の材料が用いられてもよく、異なる材料が用いられてもよい。成形を容易にする観点からは、上記天板部、上記側面部、上記突出部、及び上記リブは、同一の材料が用いられることが好ましい。
【００８７】
本発明のキャップ部材の側面部には、スリットが設けられていてもよい。上記スリットは、上記側面部の下端から上側に伸びるように設けられていることが好ましい。キャップ部材の上記側面部にスリットが設けられていることにより、上記側面部の外表面と採血用ホルダーの内壁とが接触したときに、キャップ部材が径方向内側に変形でき、その結果、適度な摩擦抵抗を与えることができる。また、変形した部分がその弾力によりキャップ部材の径方向外側へ力が加わることになるため、栓体を採血用ホルダーに適度な力で保持することができる。
【００８８】
上記側面部がスリットを有する場合、スリットの数は、好ましくは３本以上である。スリットの数が上記下限以上であると、キャップ部材を採血用ホルダーに良好に挿入することができる。
【００８９】
［栓体］
本発明の栓体は、栓本体と、上記キャップ部材とを備える。本発明の栓体では、キャップ部材が上記栓本体の外表面を覆うように外装される。なお、本発明の栓体では、キャップ部材が上記栓本体の外表面全体を覆わなくてよい。上記キャップ部材が天板部に開口を有する場合には、該開口部分において、栓本体の外表面は覆われない。また、キャップ部材の天板部とは反対側の端部は、開口しているため、該開口部分において、栓本体の外表面は覆われない。
【００９０】
図３は、本発明の一実施形態に係る栓体の正面断面図である。
【００９１】
栓体２は、キャップ部材１と栓本体３とを備える。キャップ部材１が栓本体３の外表面を覆うように外装されている。栓本体３の外表面とキャップ部材１の側面部１２の内表面１２ａとが、接している。栓本体３は、キャップ部材１によって保持されている。栓本体３の下端は、キャップ部材１の下端よりも上方に位置する。
【００９２】
栓本体３は、下側に圧入部３ａと、上側に把持部３ｂとを有する。圧入部３ａは体液採取用容器の開口端に圧入される部分である。把持部３ｂはキャップ部材１によって直接把持される部分である。把持部３ｂの側面と、キャップ部材１の側面部１２の内表面１２ａとが、接している。把持部３ｂの外径は、圧入部３ａの外径より大きい。そのため、圧入部３ａと把持部３ｂとにより、段差３ｃが形成されている。把持部３ｂは、上面中央に凹部３ｄを有する。
【００９３】
把持部の外径は、圧入部の外径よりも大きいことが好ましい。すなわち、栓本体は段差を有することが好ましい。この場合、上記段差部分が上記突出部に引っかかることができるので、栓本体のキャップ部材からの抜けを効果的に抑えることができる。また、体液採取用容器の開口端に栓体を良好に取り付けることができるので、体液採取用容器の滅菌性を良好に保つことができる。
【００９４】
圧入部の外径は、特に限定されず、体液採取用容器の開口端に取り付けることができればよい。
【００９５】
把持部の外径は、特に限定されない。把持部は上面に凹部を有することが好ましい。この場合、体液採取針を栓本体に容易に刺すことができ、また、体液採取針を栓本体から抜く際の体液の飛散を抑えることができる。
【００９６】
上記栓本体と上記突出部とは、接していてもよく、接していなくてもよい。
【００９７】
栓本体のキャップ部材からの抜けを効果的に抑える観点からは、上記栓本体と上記突出部とは、接することが好ましい。
【００９８】
しかしながら、上記突出部と上記栓本体とが接していない場合であっても、栓本体が下方へ移動してきた場合に、上記突出部によって更なる栓本体の下方への移動を効果的に抑制することができるので、栓本体のキャップ部材からの抜けを効果的に抑えることができる。
【００９９】
上記栓本体の寸法は、使用する体液採取用容器、キャップ部材、及び採血用ホルダー等の寸法に応じて適宜変更可能である。
【０１００】
体液採取針の刺通性を高める観点からは、上記把持部の上面に設けられた上記凹部の下端と栓本体の下端との距離は、好ましくは３ｍｍ以上、好ましくは７ｍｍ以下である。
【０１０１】
体液採取針を栓本体から抜く際の体液の飛散を効果的に抑える観点からは、上記把持部の上面に設けられた上記凹部の深さは、好ましくは４ｍｍ以上、好ましくは８ｍｍ以下である。
【０１０２】
上記栓本体の材料は、エラストマーであることが好ましい。上記栓本体の材料は、１種のみが用いられてもよく、２種以上が併用されてもよい。
【０１０３】
上記エラストマーとしては、熱硬化性エラストマー、及び熱可塑性エラストマー等が挙げられる。上記熱硬化性エラストマーとしては、イソプレンゴム、ブチルゴム、ブタジエンゴム、及びスチレン−ブタジエン共重合ゴム等が挙げられる。上記熱可塑性エラストマーとしては、スチレン系エラストマー等が挙げられる。
【０１０４】
栓本体の材料が上記エラストマーである場合、上記栓本体はゴム栓である。上記栓本体はゴム栓であることが好ましい。
【０１０５】
栓本体がゴム栓であると、栓本体が良好に変形できるので、栓本体をキャップ部材から取り外す方向の力が加わったとしても、隣接する突出部とその間の側面部の内表面とで形成される凹部に栓本体が食い込み、栓本体の下方への移動を効果的に抑制することができる。また、栓本体がゴム栓であると、栓本体が良好に変形できるので、圧入部と把持部とにより形成される上記段差が、上記突出部に良好に接することができ、栓本体のキャップ部材からの抜けを効果的に抑える。
【０１０６】
［血液採取容器］
本発明の血液採取容器は、開口端を有する体液採取用容器と、上記栓体とを備える。本発明の血液採取容器では、上記栓体が、上記開口端に取り付けられている。
【０１０７】
図４は、本発明の一実施形態に係る血液採取容器を示す正面図である。
【０１０８】
血液採取容器５は、体液採取用容器４と栓体２とを備える。栓体２は、キャップ部材１と栓本体３とを備える。図４では、キャップ部材１の内側に保持されている栓本体は図示されていない。栓体２が、体液採取用容器４の開口端に取り付けられている。
【０１０９】
図５は、本発明の一実施形態に係る血液採取容器の要部を拡大して示す部分切除正面断面図である。
【０１１０】
血液採取容器５は、体液採取用容器４と栓体２とを備える。栓体２は、キャップ部材１と栓本体３とを備える。栓体２が、体液採取用容器４の開口端に取り付けられている。
【０１１１】
栓本体３の圧入部３ａが、体液採取用容器４の開口に圧入されている。体液採取用容器４の内表面と、栓本体３の圧入部３ａの側面とが接している。体液採取用容器の滅菌性を良好に保つ観点からは、体液採取用容器の内表面と、栓本体の圧入部の側面とが接することが好ましい。
【０１１２】
体液採取用容器４の上端と、栓本体３の段差３ｃとが接している。体液採取用容器の滅菌性を良好に保つ観点からは、体液採取用容器の上端と、栓本体の段差とが接することが好ましい。
【０１１３】
血液採取容器５では、キャップ部材１の側面部１２の内表面１２ａと、体液採取用容器４の外表面とは接していない。上記キャップ部材の側面部の内表面と、体液採取用容器の外表面とは、接していてもよく、接していなくてもよい。上記キャップ部材の側面部の内表面と、体液採取用容器の外表面とを接触させるために、例えば、上記キャップ部材の側面部を内側に傾斜させてもよい。
【０１１４】
上記突出部と上記体液採取用容器の外表面とは、接していてもよく、接していなくてもよい。
【０１１５】
上記体液採取用容器としては、採血管本体等が挙げられる。
【０１１６】
上記血液採取容器としては、採血管等が挙げられる。
【０１１７】
上記血液採取容器は、採血管として好適に用いられる。
【０１１８】
上記血液採取容器を採血管として用いる場合等、血液採取容器（採血管）内に血液サンプルを採取する際には、上記血液採取容器と、血液採取針を備える採血用ホルダーとを用意し、以下の工程１）−３）を行う。工程１）血液採取針の一端の針先を血管に挿入する。工程２）血液採取針の他端の針先が血液採取容器の栓体を貫通するように、血液採取容器を採血用ホルダーに挿入する。工程３）血液採取容器内部の圧力は減圧されているので、血液が血液採取針を介して血液採取容器内に吸引される。
【０１１９】
図６（ａ）、図６（ｂ）及び図６（ｃ）は、本発明の一実施形態に係る血液採取容器を採血用ホルダーに挿入する工程を説明するための正面断面図である。図６は、上記工程１）−３）を説明するための図である。
【０１２０】
図６（ａ），（ｂ）に示すように、血液採取容器５と、血液採取針６１を備える採血用ホルダー６とを用意する。血液採取針６１は、一端に針先６１ａを有し、他端に針先６１ｂを有する。
【０１２１】
上記工程１）では、針先６１ａを血管に挿入する。
【０１２２】
上記工程２）では、図６（ｃ）に示すように、針先６１ｂを栓本体３に刺通させて、血液採取容器５を採血用ホルダー６に挿入する。
【０１２３】
上記工程３）では、血液が血液採取針６１を通って血液採取容器５内に吸引される。血液採取容器５の内部は減圧されているため、圧力差によって、血管から血液が血液採取容器５内に吸引される。
【０１２４】
上記工程３）の後、採血用ホルダー６から血液採取容器５を抜き取り、内部に血液サンプルが収容された血液採取容器５を得ることができる。
【０１２５】
なお、上述したように、採血用ホルダーから血液採取容器を抜き取る場合や、血液採取容器（採血管）の内部に収容された血液サンプルを得るために、血液採取容器から栓体を取り外す場合でも、本発明では、キャップ部材に特定の突出部が備えられているので、栓本体のキャップ部材からの抜けを効果的に抑えることができる。
【０１２６】
以下、実施例を挙げて本発明をさらに詳しく説明する。本発明は以下の実施例のみに限定されない。
【０１２７】
（実施例１）
以下に示すキャップ部材寸法を備える金型に、樹脂組成物（ポリプロピレン）を注入して成形し、図１に示す形状を有するキャップ部材Ａを作製した。
【０１２８】
長さ：２０ｍｍ、最小内径：１５．５ｍｍ
天板部の厚み：１ｍｍ、側面部の厚み：０．４ｍｍ
リブの長さ：１７ｍｍ、リブの高さ：０．１ｍｍ
キャップ部材の周方向寸法（３×（Ｘ＋Ｙ））：４８ｍｍ
突出部；個数３個、キャップ部材の長さ方向に沿う断面の形状：台形、高さＨ：０．１６ｍｍ、天板部と突出部との距離Ｌ：６ｍｍ、最大幅Ｗ１：２ｍｍ、突出部のキャップ部材の側面部の内表面とは反対側の面の幅Ｗ２：１ｍｍ、隣接する突出部間のキャップ部材の周方向距離Ｘ：８ｍｍ、突出部のキャップ部材の周方向寸法Ｙ：８ｍｍ
【０１２９】
（実施例２）
以下に示すキャップ部材寸法を備える金型に、樹脂組成物（ポリプロピレン）を注入して成形し、図１に示す形状を有するキャップ部材Ｂを作製した。
【０１３０】
長さ：２０ｍｍ、最小内径：１５．５ｍｍ
天板部の厚み：１ｍｍ、側面部の厚み：０．４ｍｍ
リブの長さ：１７ｍｍ、リブの高さ：０．１ｍｍ
キャップ部材の周方向寸法（３×（Ｘ＋Ｙ））：４８ｍｍ
突出部；個数３個、キャップ部材の長さ方向に沿う断面の形状：台形、高さＨ：０．１６ｍｍ、天板部と突出部との距離Ｌ：６ｍｍ、最大幅Ｗ１：２ｍｍ、突出部のキャップ部材の側面部の内表面とは反対側の面の幅Ｗ２：１ｍｍ、隣接する突出部間のキャップ部材の周方向距離Ｘ：４ｍｍ、突出部のキャップ部材の周方向寸法Ｙ：１２ｍｍ
【０１３１】
（実施例３）
樹脂組成物としてポリエチレンを用いたこと以外は実施例１と同様にして、図１に示す形状を有するキャップ部材Ｄを作製した。
【０１３２】
（比較例１）
以下に示すキャップ部材寸法を備える金型に、樹脂組成物（ポリプロピレン）を注入して成形し、環状の突出部（突出部の個数１個）を有するキャップ部材Ｃを作製した。
【０１３３】
長さ：２０ｍｍ、最小内径：１５．５ｍｍ
天板部の厚み：１ｍｍ、側面部の厚み：０．４ｍｍ
リブの長さ：１７ｍｍ、リブの高さ：０．１ｍｍ
キャップ部材の周方向寸法：４８ｍｍ
突出部；個数１個（環状突出部）、キャップ部材の長さ方向に沿う断面の形状：台形（該断面の形状は実施例１及び実施例２と同じ台形形状）、高さＨ：０．１６ｍｍ、天板部と突出部との距離Ｌ：６ｍｍ、最大幅Ｗ１：２ｍｍ、突出部のキャップ部材の側面部の内表面とは反対側の面の幅Ｗ２：１ｍｍ、突出部のキャップ部材の周方向寸法Ｙ：４８ｍｍ
【０１３４】
（比較例２）
樹脂組成物としてポリエチレンを用いたこと以外は比較例１と同様にして、環状の突出部（突出部の個数１個）を有するキャップ部材Ｅを作製した。
【０１３５】
（評価）
＜突出部の変形＞
得られたキャップ部材の突出部を、測定顕微鏡（ニコン社製「ＭＭ−６０」）で観察し、キャップ部材の最小内径を測定し、金型の最小内径（１５．５ｍｍ）と、キャップ部材の最小内径との差の絶対値を算出した。なお、上記最小内径の始点及び終点は、突出部のキャップ部材の側面部の内表面とは反対側の面上に位置する。
【０１３６】
［突出部の変形の判定基準］
○：金型の最小内径とキャップ部材の最小内径との差の絶対値が０．５ｍｍ未満
×：金型の最小内径とキャップ部材の最小内径との差の絶対値が０．５ｍｍ以上
【０１３７】
＜キャップ部材と栓本体との嵌合力＞
図３に示す形状のゴム栓（材料：ブチルゴム）の外表面を覆うように、得られたキャップ部材を外装して、栓体を作製した。得られた栓体を、１０ｃｃ用採血管本体（外径１６ｍｍ、長さ１００ｍｍ）の開口端に取り付けた。なお、取り付け時には、上記栓本体と上記１０ｃｃ用採血管本体とを接着剤で接着した。引張試験機（ロイド社製「ＬＲＸ」）を用いて、キャップ部材のみを引っ張り、キャップ部材が栓本体から外れる際の最大強度を嵌合力とした。
【０１３８】
得られたキャップ部材の構成及び結果を下記の表１に示す。なお、高さＨは、測定顕微鏡（ニコン社製「ＭＭ−６０」）で５箇所以上測定した値の平均値である。
【０１３９】
【表１】
2019159878.tif 000003
【０１４０】
実施例１〜３で得られたキャップ部材Ａ，Ｂ，Ｄでは、比較例１，２で得られたキャップ部材Ｃ，Ｅと比べて成形時の突出部の変形が抑えられていた。キャップ部材Ａ，Ｂ，Ｄでは、突出部全体において、変形がほとんど観察されなかったのに対して、キャップ部材Ｃ，Ｅでは、突出部の一部の箇所において、キャップ部材Ａ，Ｂ，Ｄと比べて大きな変形が観察された。
【０１４１】
また、キャップ部材Ａ，Ｂ，Ｄでは、キャップ部材Ｃ，Ｅと比べて、突出部と栓本体との接触面積が小さいにも関わらず、キャップ部材と栓本体との嵌合力が低下しておらず、キャップ部材Ａ，Ｂ，Ｄの嵌合力と、キャップ部材Ｃの嵌合力とは同等であった。キャップ部材Ａ，Ｂ，Ｄでは、隣接する突出部とその間の側面部の内表面とで形成される凹部に栓本体が食い込むことにより、栓本体がキャップ部材から抜けにくくなっている。
【符号の説明】
【０１４２】
１…キャップ部材
２…栓体
３…栓本体
３ａ…圧入部
３ｂ…把持部
３ｃ…段差
３ｄ…凹部
４…体液採取用容器
５…血液採取容器
６…採血用ホルダー
１１…天板部
１１ａ…開口
１２…側面部
１２ａ…内表面
１２ｂ…外表面
１２ｃ…凹み
１３…突出部
１３ａ…第１の面
１３ｂ…第２の面
１３ｃ…第３の面
１３ｄ…第４の面
１３ｅ…第５の面
１４…リブ
６１…血液採取針
６１ａ、６１ｂ…針先
【図１】
2019159878.tif 000004
【図２】
2019159878.tif 000005
【図３】
2019159878.tif 000006
【図４】
2019159878.tif 000007
【図５】
2019159878.tif 000008
【図６】
2019159878.tif 000009
【国際調査報告】
2019159878.tif 000010
2019159878.tif 000011
2019159878.tif 000012
2019159878.tif 000013